(57)【特許請求の範囲】
【請求項１】
光源等が配設されて天井面に固定される器具本体と、前記光源等を覆って前記器具本体に取着される器具カバーとを備えており、前記器具本体は、仮吊りされた前記器具カバーのカバー周縁部を保持する仮吊具が適当位置ごとに垂下して配設され、かつ、前記カバー周縁部とパッキンを介して当接しあう本体周縁部が下向きに突出して形成されたものである照明器具において、
前記仮吊具と前記カバー周縁部とは互いに向かって屈曲させられた形状を有しており、かつ、外向きに屈曲させられた前記仮吊具の先端には上向きの仮吊具側係合片が形成される一方、内向きに屈曲させられた前記カバー周縁部の先端には下向きとされて前記仮吊具側係合片と係合しあうカバー側係合片が形成され、前記仮吊具側係合片の長さが、仮吊りされた前記器具カバーのカバー周縁部の基端部分と前記本体周縁部とが対向しあう間隔よりも大きく設定されていることを特徴とする照明器具。
【請求項２】
前記器具本体の本体周縁部は、仮吊りされた前記器具カバーのカバー周縁部が上向きに移動し得る範囲を規制するものであることを特徴とする請求項１に記載の照明器具。
【請求項３】
前記仮吊具側係合片は、内向きに傾斜させられていることを特徴とする請求項１又は請求項２に記載の照明器具。
【請求項４】
前記カバー側係合片には、前記仮吊具側係合片が挿通する開口部が形成されていることを特徴とする請求項１〜請求項３のいずれかに記載の照明器具。
【発明の詳細な説明】
【０００１】
【発明の属する技術分野】
本発明は照明器具に関するものであり、特には、器具本体でもって器具カバーが仮吊りされる構成とされた照明器具の構造に関するものである。
【０００２】
【従来の技術】
照明器具のうちには室内等の天井に取り付けて使用されるものがあり、この種の照明器具２１は、図１１及び図１２で示すように、蛍光灯ランプ（図示省略）やソケット２２、安定器２３からなる光源等が配設されて天井面２４に固定される略板形状の器具本体２５と、光源等を覆って器具本体２５に取着される略箱形状の器具カバー２６とを備えている。そして、ここでの器具カバー２６は、半透明状等の樹脂カバー２７を具備している。
【０００３】
また、器具本体２５には、仮吊りされた器具カバー２６のカバー周縁部２８を保持する仮吊具２９が適当位置ごとに垂下して配設され、かつ、このカバー周縁部２８とパッキン３０を介して当接しあう本体周縁部３１が下向きに突出した状態で形成されている。さらに、この器具本体２５にはカバー取付具３２が垂下して配設されており、器具カバー２６はツマミネジ３３を用いたうえでカバー取付具３２の下端部に締結されている。
【０００４】
すなわち、照明器具２１では、施工や保守点検の必要上、器具本体２５から器具カバー２６を取り外すことが可能な構造が採用されており、しかも、器具本体２５による器具カバー２６の仮吊りを可能とするため、器具本体２５には仮吊具２９が配設されている。なお、この際における仮吊具２９は外向きに屈曲したうえで上向きに傾斜させられており、また、この仮吊具２９で仮吊りされる器具カバー２６のカバー周縁部２８は内向きに屈曲されている。
【０００５】
【発明が解決しようとする課題】
ところで、前記従来の照明器具２１にあっては、次のような不都合が生じることになっていた。すなわち、器具本体２５から取り外された器具カバー２６は、図１３で示すように、カバー周縁部２８を仮吊具２９に引っ掛けることによって仮吊りされる。
【０００６】
しかしながら、仮吊りされている器具カバー２６に上向きの外力が作用している状態では、仮吊具２９に対するカバー周縁部２８の引っ掛かり長さが浅くなることが避けられない。そして、カバー周縁部２８が仮吊具２９から外れてしまう結果、仮吊りされた器具カバー２６が落下する恐れもある。
【０００７】
本発明は、上述の事実に鑑みて為されたものであって、その目的とするところは、器具本体に配設された仮吊具から器具カバーのカバー周縁部が外れてしまうことをなくし、仮吊りされた器具カバーが落下することを防止して施工時や保守点検時の安全を確保することができる照明器具の提供を目的としている。
【０００８】
【課題を解決するための手段】
請求項１の発明に係る照明器具は、光源等が配設されて天井面に固定される器具本体と、前記光源等を覆って前記器具本体に取着される器具カバーとを備えている。そして、この際における器具本体は、仮吊りされた前記器具カバーのカバー周縁部を保持する仮吊具が適当位置ごとに垂下して配設され、かつ、前記カバー周縁部とパッキンを介して当接しあう本体周縁部が下向きに突出して形成されたものとなっている。
【０００９】
さらに、請求項１の発明に係る照明器具では、前記仮吊具と前記カバー周縁部とのそれぞれが互いに向かって屈曲させられた形状を有するとし、外向きに屈曲させられた前記仮吊具の先端に上向きの仮吊具側係合片が形成される一方、内向きに屈曲させられた前記カバー周縁部の先端に下向きとされて前記仮吊具側係合片と係合しあうカバー側係合片が形成されている。このような構成の照明器具では、仮吊具及びカバー周縁部の各々に形成された仮吊具側係合片とカバー側係合片とが互いに係合しあっているので、カバー周縁部が仮吊具から外れることはなくなる。また、請求項１の発明に係る照明器具では、前記仮吊具側係合片の長さは、仮吊りされた前記器具カバーのカバー周縁部の基端部分と前記本体周縁部とが対向しあう間隔よりも大きく設定されている。このような構成であれば、仮吊具から器具カバーのカバー周縁部が外れる以前の段階でカバー周縁部の基端部分が本体周縁部へと当接するため、カバー周縁部が仮吊具から外れることは起こらない。
【００１０】
請求項２の発明に係る照明器具は請求項１に記載したものであり、前記器具本体の本体周縁部は、仮吊りされた前記器具カバーのカバー周縁部が上向きに移動し得る範囲を規制するものとされている。このような構成の照明器具であれば、カバー周縁部の移動範囲を仮吊具から外れない範囲とすることにより、仮吊具からカバー周縁部が外れてしまうのを防止することが可能になる。
【００１２】
請求項３の発明に係る照明器具は請求項１又は請求項２に記載したものであり、前記仮吊具側係合片は、内向きに傾斜させられている。このような構成を採用すれば、器具カバーのカバー周縁部を仮吊具の内側へと誘導しやすくなり、仮吊具側係合片とカバー側係合片とを係合させやすくなる。
【００１３】
請求項４の発明に係る照明器具は請求項１〜請求項３のいずれかに記載したものであり、前記カバー側係合片には、前記仮吊具側係合片が挿通する開口部が形成されている。このような構成であれば、仮吊具側係合片とカバー側係合片との位置合わせ、ひいては、仮吊具とカバー周縁部との位置合わせが容易になる。
【００１４】
【発明の実施の形態】
図１は本実施の形態に係る照明器具の全体構成を分解して示す斜視図、図２は器具カバーの取着状態を示す断面図、図３は通常時における器具カバーの仮吊り状態を示す断面図であり、図４は仮吊り状態での要部構成を示す断面図である。そして、図５は仮吊りされた器具カバーに上向きの外力が作用している状態を示す断面図であり、図６はその要部構成を示す断面図である。
【００１５】
また、図７は仮吊りされた器具カバーに左右方向の外力が作用している状態を示す断面図、図８はその要部構成を示す断面図であり、図９は第１の変形例に係る照明器具の要部構成を示す断面図、図１０は第２の変形例に係る照明器具の要部構成を示す断面図である。なお、これらの図における符号１は照明器具を示しており、この照明器具１は室内等の天井に取り付けて使用されるものである。
【００１６】
本実施の形態に係る照明器具１は、図１及び図２で示すように、蛍光灯ランプやソケット２、安定器３からなる光源等が配設されて天井面４に固定される略板形状の器具本体５と、光源等を覆って器具本体５に取着される略箱形状の器具カバー６とを備えている。そして、器具本体５には、仮吊りされた器具カバー６のカバー周縁部７を保持する仮吊具８が適当位置ごとに垂下して配設されている。
【００１７】
また、この器具本体５の本体周縁部９、つまり、器具カバー６のカバー周縁部７とパッキン１０を介して当接しあう本体周縁部９は、下向きに突出している。なお、このとき、本体周縁部９の突出長さは、仮吊りされた器具カバー６のカバー周縁部７が上向きに移動し得る範囲を本体周縁部９が規制することになるよう考慮したうえで決められている。
【００１８】
さらに、仮吊具８それぞれは器具カバー６のカバー周縁部７へと向かって屈曲させられた形状、つまり、その下端部が外向きの水平状として屈曲させられた形状を有している。そして、各仮吊具８の先端には、上向きに屈曲させられた仮吊具側係合片８ａが形成されている。なお、この際における仮吊具側係合片８ａの長さＡは、後述する図４で示すように、仮吊りされた器具カバー６のカバー周縁部７の基端部分と本体周縁部９とが対向しあう間隔Ｂよりも大きく設定されている。
【００１９】
一方、照明器具１が備えている器具カバー６は半透明状等の樹脂カバー１１を具備したものであり、そのカバー周縁部７にはパッキン１０が固着されている。そして、このカバー周縁部７は、器具本体５に配設された仮吊具８へと向かって内向きに屈曲させられた形状を有しており、その先端には仮吊具側係合片８ａと係合しあうよう下向きに屈曲させられたカバー側係合片７ａが形成されている。なお、図中の符号１２はカバー取付具、符号１３はツマミネジであり、器具本体５に配設されたカバー取付具１２の下端部に対しては、ツマミネジ１３を用いたうえで器具カバー６が締結される。
【００２０】
すなわち、本実施の形態に係る照明器具１では、器具本体５に配設された仮吊具８と器具カバー６のカバー周縁部７とが互いに向かって屈曲させられた形状を有しており、仮吊具８の先端には上向きの仮吊具側係合片８ａが形成されると共に、カバー周縁部７の先端には下向きのカバー側係合片７ａが形成されている。
【００２１】
従って、器具本体５から取り外された器具カバー６は、図３で示すように、カバー周縁部７が仮吊具８に引っ掛かった状態で仮吊りされることになり、器具カバー６が重心位置に対応した傾斜姿勢となる結果として仮吊り状態は安定する。そして、この場合においては、カバー側係合片７ａと仮吊具側係合片８ａとが係合しあっているため、カバー周縁部７が仮吊具８から外れることはなくなる。
【００２２】
ところで、この際における器具本体５及び器具カバー６のそれぞれは、図４で示すように、仮吊具８の仮吊具側係合片８ａの長さＡの方が、カバー周縁部７の基端部分と本体周縁部９とが対向しあった間隔Ｂよりも大きくなる関係を有している。そして、このとき、カバー周縁部７の移動範囲は、本体周縁部９によって規制されている。
【００２３】
そのため、仮吊りされた器具カバー２６を上向きに押し上げる外力が作用した場合でも、図５及び図６で示すように、カバー周縁部７のカバー側係合片７ａが仮吊具側係合片８ａから外れる以前の段階でカバー周縁部７の基端部分が本体周縁部９と当接することになり、カバー周縁部７が仮吊具８から外れることは起こらない。
【００２４】
また、このような状態として器具本体５に仮吊りされた器具カバー６に対し、図７で示すように、左右方向の外力が作用することがあったとしても、仮吊具８の仮吊具側係合片８ａとカバー側係合片７ａが係合しあったカバー周縁部７は、図８で示すように、仮吊具８及び本体周縁部９で囲まれた範囲内でしか移動できないため、このカバー周縁部７が仮吊具８から外れることは起こり得ない。
【００２５】
さらに、本実施の形態に係る照明器具１では、図９で示すように、仮吊具８の先端に形成されて上向きに屈曲させられた仮吊具側係合片８ａを、内向きに傾斜させておくことも可能である。すなわち、このような構成としておけば、器具カバー６のカバー周縁部９を仮吊具８の内側へと誘導しやすくなる。
【００２６】
さらにまた、図１０で示すように、カバー周縁部７の先端に形成されたカバー側係合片７ａの所定位置ごとに対し、仮吊具８の仮吊具側係合片８ａが挿通する開口部７ｂを形成しておいてもよい。そして、このような開口部７ｂをカバー側係合片７ａに予め形成しておいた場合には、仮吊具側係合片８ａとカバー側係合片７ａとの位置合わせを実行しやすいことになる。
【００２７】
【発明の効果】
請求項１の発明に係る照明器具では、仮吊具とカバー周縁部とのそれぞれが互いに向かって屈曲させられた形状を有しており、かつ、外向きに屈曲させられた仮吊具の先端に上向きの仮吊具側係合片が形成される一方、内向きに屈曲させられたカバー周縁部の先端に下向きとされて仮吊具側係合片と係合しあうカバー側係合片が形成されている。そのため、仮吊具及びカバー周縁部の各々に形成された仮吊具側係合片とカバー側係合片とが互いに係合しあう結果としてカバー周縁部が仮吊具から外れることはなくなり、仮吊りされた器具カバーが落下することを防止して施工時や保守点検時の安全を確保することができるという効果が得られる。また、請求項１の発明に係る照明器具では、器具カバーのカバー周縁部の基端部分と本体周縁部とが対向しあう間隔よりも仮吊具側係合片の長さの方が大きく設定されている。そのため、仮吊具から器具カバーのカバー周縁部が外れる以前の段階でカバー周縁部の基端部分が本体周縁部へと当接することになり、カバー周縁部が仮吊具から外れてしまうことは起こらないという効果が得られる。
【００２８】
請求項２の発明に係る照明器具においては、仮吊りされた器具カバーのカバー周縁部が上向きに移動し得る範囲を器具本体の本体周縁部が規制しているので、仮吊具からカバー周縁部が外れてしまうことを確実に防止できるという効果が得られる。
【００３０】
請求項３の発明に係る照明器具にあっては、仮吊具側係合片が内向きに傾斜させられている。そのため、器具カバーのカバー周縁部を仮吊具の内側へと誘導しやすくなり、仮吊具側係合片とカバー側係合片とを係合させやすくなるという効果が得られる。
【００３１】
請求項４の発明に係る照明器具では、仮吊具側係合片が挿通する開口部をカバー側係合片に形成することが行われている。そして、このような構成であれば、仮吊具側係合片とカバー側係合片との位置合わせ、ひいては、仮吊具とカバー周縁部との位置合わせが容易になるという効果が得られる。
【図面の簡単な説明】
【図１】本実施の形態に係る照明器具の全体構成を示す分解斜視図である。
【図２】本実施の形態に係る照明器具が備えている器具カバーの取着状態を示す断面図である。
【図３】本実施の形態に係る照明器具が備えている器具カバーの通常時における仮吊り状態を示す断面図である。
【図４】仮吊り状態での要部構成を示す断面図である。
【図５】仮吊りされた器具カバーに上向きの外力が作用している状態を示す断面図である。
【図６】その要部構成を示す断面図である。
【図７】仮吊りされた器具カバーに左右方向の外力が作用している状態を示す断面図である。
【図８】その要部構成を示す断面図である。
【図９】第１の変形例に係る照明器具の要部構成を示す断面図である。
【図１０】第２の変形例に係る照明器具の要部構成を示す断面図である。
【図１１】従来の形態に係る照明器具の全体構成を示す分解斜視図である。
【図１２】従来の形態に係る照明器具が備えている器具カバーの取着状態を示す断面図である。
【図１３】従来の形態に係る照明器具が備えている器具カバーの仮吊り状態を示す断面図である。
【符号の説明】
１    照明器具
５    器具本体
６    器具カバー
７    カバー周縁部
７ａ  カバー側係合片
８    仮吊具
８ａ  仮吊具側係合片
９    本体周縁部
【図１】
0004089259.tif 000002
【図２】
0004089259.tif 000003
【図３】
0004089259.tif 000004
【図４】
0004089259.tif 000005
【図５】
0004089259.tif 000006
【図６】
0004089259.tif 000007
【図７】
0004089259.tif 000008
【図８】
0004089259.tif 000009
【図９】
0004089259.tif 000010
【図１０】
0004089259.tif 000011
【図１１】
0004089259.tif 000012
【図１２】
0004089259.tif 000013
【図１３】
0004089259.tif 000014